(57)【要約】      （修正有）【課題】建屋の気化冷房装置は、一方側の妻面に空気透過パットを付設し、空気透過パットに水（流体）を流下し、パットを通過する風を湿潤し、気化潜熱により、ハウスの気化冷却を図る流体循環装置を提供する。【解決手段】建屋の一方側妻面に、吸水性多孔質パット７を、建屋の他方側妻面に換気扇を設け、吸水性多孔質パット７の下側に、流体を受入れる樋１１を形成し、樋１１に設けたホース１６にホンプ１５を設け、ポンプ１５に、基端を繋いだホース１６を、吸水性多孔質パット７の上側の給水管に繋ぎ、樋１１の排水を、ポンプ１５とホース１６を介して、吸水性多孔質パット７の給水管に導く建屋の気化冷房装置に備える流体循環装置であり、排水を再利用する。【選択図】図４
0003180279.tif 000002
【実用新案登録請求の範囲】
【請求項１】
建屋の一方側の妻面に、吸水性多孔質パットを連設し、また、この建屋の他方側の妻面に一基、又は数基の換気扇を設けた構造の建屋の気化冷房装置において、
前記吸水性多孔質パットの下側に、この吸水性多孔質パットを流れた流体を受入れる樋を形成し、この樋に設けた配管にホンプを設け、このポンプに、基端を繋いだホースを、この吸水性多孔質パットの上側の給水管に到らしめ、前記樋の流体を、前記ポンプと前記ホースを介して、前記吸水性多孔質パットの給水管に導く構成とした建屋の気化冷房装置に備える流体循環装置。
【請求項２】
請求項１に記載の建屋の気化冷房装置の流体循環装置において、
前記給水管は、多数個の孔を備えた第一給水管とし、この第一給水管に、前記ホースの自由端を接続し、このホース内を抑揚した流体を、この吸水性多孔質パットの上側の第一給水管に流す構成とした建屋の気化冷房装置に備える流体循環装置。
【請求項３】
請求項１に記載の建屋の気化冷房装置の流体循環装置において、
前記給水管は、多数個の孔を備えた第二給水管とし、この第二給水管に、前記ホースの自由端を接続し、このホース内を抑揚した流体を、この吸水性多孔質パットの上側の第二給水管に流す構成とした建屋の気化冷房装置に備える流体循環装置。
【請求項４】
請求項１に記載の建屋の気化冷房装置に備える流体循環装置において、
前記ポンプを、前記樋の端部に設け、このポンプに前記ホースの基端を設ける構成とした建屋の気化冷房装置の流体循環装置。
【請求項５】
請求項２、又は請求項３に記載の建屋の気化冷房装置に備える流体循環装置において、
前記第二給水管を、前記第一給水管と併用する構成とした建屋の気化冷房装置に備える流体循環装置。
【考案の詳細な説明】
【技術分野】
【０００１】
本考案は、吸水性多孔質パットを備えた建屋の気化冷房装置に備える流体循環装置に関する。
【背景技術】
【０００２】
本出願人は、建屋の気化冷房装置に関し、特開２０１２−１４７６９６号において、一方側の妻面に空気透過パットを付設し、この空気透過パットに上水、水（流体）を流下し、このパットを通過する風を湿潤し、気化潜熱により、ハウスの気化冷却を図る構造を提案する。この発明は、ハウス内の温度を下げることで、植物・家畜の成育と、生育環境維持に有効であることが実証されている。そして、更なるランニングコストの低廉化が、客先の要望となっている。
【０００３】
このランニングコストの低廉化に、有効な手段として、上水の使用量を少なくすること、及び／又は、有効利用すること、等が挙げられる。
【０００４】
そこで、この種の上水（流体）の再利用として、一部の文献に循環水を利用し、冷却する方法・装置が提示されている。例えば、特開平７−７９６４６号公報（文献（１））は、地下の貯水槽に蓄積した、水をポンプアップして、空気膜屋根の頂面から軒先に向って流下し、この流体を昇温し、この温水を利用する構造である。また、特開２００８−１５４５１２号公報（文献（２））は、イチゴ棚に設置されたイチゴ栽培容器に、養水を供給し、働きを置いた養水を濾過し、この濾過した養水を、ポンプアップして、再利用する構造が開示されている。
【０００５】
この（文献（１））と（文献（２））は、水、又は養水の再利用であるが、この再利用のルートは、給水時のルートを使用するとともに、給水時のポンプと給水管を利用する。従って、循環利用による再利用のルートにより、合理的な給水が図れているのか、又は、循環利用による再利用のルートか、初期の給水時のルートかを区別することができない。
【０００６】
そこで、本考案は、流体循環装置の循環用給水管ルート（排水循環による再利用ルート）に、従来の給水時の給水管ルートを利用し、低コスト化、ランニングコストの低廉化と、施設・栽培等の合理化、並びに給水の合理的と効率化（上水の節約化）を図ることを意図する。また、この循環用給水管ルートを、従来の給水時の給水管ルートとは区別し、この循環用給水管ルートの個別制御を利用し、給水時の給水管ルートのメンテナンスを確保し、かつ再利用の給水状況の確認を図ること、等を意図する。
【０００７】
【特許文献１】特開平７−７９６４６号公報
【特許文献２】特開２００８−１５４５１２号公報
【考案の概要】
【考案が解決しようとする課題】
【０００８】
そこで、本考案は、循環利用による再利用のルートに、給水時とは異なるポンプホースを設けて、初期の給水時のルートと区別し、再利用の給水状況を確認すること、又は、合理的な給水が図れているか否かを確認可能とすることにある。
【課題を解決するための手段】
【０００９】
前記の目的を達成するために、本考案は、下記に示した請求項１〜５を提案する。
【００１０】
請求項１の考案は、建屋の一方側の妻面に、吸水性多孔質パットを連設し、また、この建屋の他方側の妻面に一基、又は数基の換気扇を設けた構造の建屋の気化冷房装置において、
前記吸水性多孔質パットの下側に、この吸水性多孔質パットを流れた流体を受入れる樋を形成し、この樋に設けた配管にホンプを設け、このポンプに、基端を繋いだホースを、この吸水性多孔質パットの上側の給水管に到らしめ、前記樋の流体（排水、排気流体）を、前記ポンプと前記ホースを介して、前記吸水性多孔質パットの上側の給水管に導く（到らしめる）構成とした建屋の気化冷房装置に備える流体循環装置である。
【００１１】
請求項２の考案は、請求項１に記載の建屋の気化冷房装置の流体循環装置において、
前記給水管は、多数個の孔を備えた第一給水管とし、この第一給水管に、前記ホースの自由端を接続し、このホース内を抑揚した流体を、この吸水性多孔質パットの上側の第一給水管に流す構成とした建屋の気化冷房装置に備える流体循環装置である。
【００１２】
請求項３の考案は、請求項１に記載の建屋の気化冷房装置の流体循環装置において、
前記給水管は、多数個の孔を備えた第二給水管とし、この第二給水管に、前記ホースの自由端を接続し、このホース内を抑揚した流体を、この吸水性多孔質パットの上側の第二給水管に流す構成とした建屋の気化冷房装置に備える流体循環装置である。
【００１３】
請求項４の考案は、請求項１に記載の建屋の気化冷房装置に備える流体循環装置において、
前記ポンプを、前記樋の端部に設け、このポンプに前記ホースの基端を設ける構成とした建屋の気化冷房装置の流体循環装置である。
【００１４】
請求項５の考案は、請求項２、又は請求項３に記載の建屋の気化冷房装置に備える流体循環装置において、
前記第二給水管を、前記第一給水管と併用する構成とした建屋の気化冷房装置に備える流体循環装置である。
【考案の効果】
【００１５】
請求項１は、建屋の一方側の妻面に、吸水性多孔質パットを連設し、また、建屋の他方側の妻面に一基、又は数基の換気扇を設けた構造の建屋の気化冷房装置において、
吸水性多孔質パットの下側に、吸水性多孔質パットを流れた流体を受入れる樋を形成し、樋に設けた配管にホンプを設け、ポンプに、基端を繋いだホースを、吸水性多孔質パットの上側の給水管に到らしめ、前記樋の流体を、ポンプと前記ホースを介して、吸水性多孔質パットの給水管に導く構成とした建屋の気化冷房装置に備える流体循環装置である。
【００１６】
従って、  従って、請求項１は、流体循環装置の循環用給水管ルートに、従来の給水時の給水管ルートを利用することで、例えば、低コスト化、ランニングコストの低廉化と、施設・栽培等の合理化、並びに給水の合理的と効率化が図れる特徴がある。また、請求項１は、この循環用給水管ルートを、従来の給水時の給水管ルートとは区別し、この循環用給水管ルートの個別制御を利用し、給水時の給水管ルートのメンテナンスを確保し、かつ再利用の給水状況の確認が図れる実益がある。さらに、請求項１は、上水の利用の軽減化と、ランニングコストの低廉化、等に寄与できる。
【００１７】
請求項２は、請求項１に記載の建屋の気化冷房装置の流体循環装置において、
給水管は、多数個の孔を備えた第一給水管とし、第一給水管に、前記ホースの自由端を接続し、ホース内を抑揚した流体を、吸水性多孔質パットの上側の第一給水管に流す構成とした建屋の気化冷房装置に備える流体循環装置である。
【００１８】
従って、請求項２は、請求項１の目的を達成できること、又は給水管を、第一給水管（上水「新液体」用給水管）と特定したこと、装置の簡略化が図れること、等を特徴とする。
【００１９】
請求項３は、請求項１に記載の建屋の気化冷房装置の流体循環装置において、
給水管は、多数個の孔を備えた第二給水管とし、第二給水管に、ホースの自由端を接続し、ホース内を抑揚した流体を、吸水性多孔質パットの上側の第二給水管に流す構成とした建屋の気化冷房装置に備える流体循環装置である。
【００２０】
従って、請求項３は、請求項１の目的を達成できること、又は給水管を、第二給水管（循環排水「排液体」用給水管）と特定したこと、それぞれの機器の故障時の緊急対策を可能となること、等を特徴とする。
【００２１】
請求項４の考案は、請求項１に記載の建屋の気化冷房装置に備える流体循環装置において、
ポンプを、樋の端部に設け、ポンプにホースの基端を設ける構成とした建屋の気化冷房装置の流体循環装置である。
【００２２】
従って、請求項４は、請求項１の目的を達成できること、又はポンプ設置位置を特定したこと、装置の簡略化と、メンテナンスの容易化等が図れること、等を特徴とする。
【００２３】
請求項５の考案は、請求項２、又は請求項３に記載の建屋の気化冷房装置に備える流体循環装置において、
第二給水管を、第一給水管と併用する構成とした建屋の気化冷房装置に備える流体循環装置である。
【００２４】
従って、請求項５は、請求項１、及び請求項２、又は請求項３の目的を達成できること、又は装置の簡略化と、メンテナンスの容易化等が図れること、等を特徴とする。
【図面の簡単な説明】
【００２５】
【図１】ハウスを縮尺し、その一面側の模式図
【図２】ハウスを縮尺し、その他面側の模式図
【図３】吸水性多孔質パットを備えた流体循環装置と、換気扇との関係を示した拡大側面模式図で、ハウス１を示してある
【図４】吸水性多孔質パットと、流体循環装置との関係を示した拡大正面模式図
【図５】吸水性多孔質パットを備えた流体循環装置の要部の側面模式図
【図６】換気扇の全体背面摸式図
【考案を実施するための形態】
【００２６】
１はハウス（ハウス１は、畜舎、工場等の一例である）で、このハウス１の一例を説明すると、多数本の柱鋼材２、及び柱鋼材２間に設けた多数本の梁鋼材３で枠組み形成してなる躯体１００と、この躯体１００に設けたガラス４（ビニールフィルム、その他のガラス、又はその他のフィルム等の別の材料もある。以下、ガラス４とする）で構成する。そして、このハウス１の一方側の妻面１ａには、後述する吸水性多孔質パット７（空気透過パット）と、この吸水性多孔質パット７を立設支持する支持柱５、５、５等（５とする）と、この吸水性多孔質パット７を架承する支持梁６、６等（６とする）が設けられる。
【００２７】
７はセルローズ紙のシートを接着、かつ編成した構造で、鋭角と鈍角の異なる溝角を備えた波形形状、又は、耐水性のセルローズ繊維からなる複数枚の自己支持性波板を凸条部で重ね合わせた多隙体形状等でなる本体部と、この本体部に無数形成された空気透過隙間を備えた吸水性多孔質パットで、この吸水性多孔質パット７は、組付け可能な上枠体８ａと、下枠体８ｂ（樋に支持された差渡し杆）と、左右枠体８ｃ、８ｄを枠組み構成した方形状の枠８内に、収められるとともに、梁鋼材３との間に組付けられる。そして、この組付け時に吸水性多孔質パット７の上側７ａ（上端側）と上枠体８ａとの空間に、一本、又は二本の第一給水管１０（上水用給水管）を設け、かつこの第一給水管１０を、図示しない、複数の繋ぎ管を介して連結し、ハウス１の一方側の妻面１ａの略全体に配備する。また、この連結を介して、この第一給水管１０の一方側から他方側、又は他方側から一方側の如く、それぞれの方向に、同時に給水する。また、この第一給水管１０は、吸水性多孔質パット７の表裏側７ｂ、７ｃの幅Ｘ間で、かつ枠体８の幅Ｙ間に設けられる。即ち、吸水性多孔質パット７の表裏側７ｂ、７ｃより突出せず、寸法内にセットされると共に、体裁よく組付けられる。また、第一給水管１０の保守管理と、メンテナンスの簡便化等を図る。
【００２８】
図中９は第一給水管１０に上水を供給する配管であり、この第一給水管１０の上方に設ける共に、複数の繋ぎ管９ａ、９ａを介して連結し、ハウス１の一方側の妻面１ａの略全体に配備する。
【００２９】
また、吸水性多孔質パット７の設置時に、この吸水性多孔質パット７の下側７ｄ（下端側）と、枠体８の下枠体８ｂとの空間に、端面視してコ字型の樋１１（排水手段）を、地面と略平行に設ける（吸水性多孔質パット７の鉛直線下側に配備する）。この樋１１は、前記幅Ｘ、Ｙ内に収めることで、寸法内にセットされると共に、体裁よく組付けられる。そして、この樋１１の集水側に隔壁１２を設ける。この隔壁１２を貫通する配管１３を設けると共に、この配管１３に一方に設けたポンプ１５は、循環流体（排水）を抑揚するホース１６（配管）の基端に繋ぐ。このホース１６の自由端は、吸水性多孔質パット７の上側７ａに設けた第一給水管１０に繋ぐ構造である（例えば、請求項２の実施例）。従って、集水された排水は、樋１１から配管１３（配管）とポンプ１５からホース１６に至り、第一給水管１０に運ばれ、この第一給水管１０の複数の孔１０００より、吸水性多孔質パット７の上側７ａに導かれる。また、樋１１の上面と、吸水性多孔質パット７の下側７ｄの隙間は、樋１１を流れる排水と、この吸水性多孔質パット７を流下する排水とを遮断し、この排水のスムーズな流れと、吸水性多孔質パット７を流下する排水のスムーズな流れが図れる。ホース１６、樋１１等にはフィルタ、殺菌手段、温度制御等を設け、排水の品質・温度管理と廃棄物を除去する。図示しないが、樋１１にタンクを付設することもあり得る。
【００３０】
また、他の実施例（例えば、請求項３の実施例）として、前記ホース１６の自由端を、図示しない、多数個の孔を備えた第二給水管（循環用給水管）に繋ぎ、第一給水管１０とは別のルートで、給水作業する構成もできる。この他の例では、第一給水管１０との併用例（通常の例）と、この第一給水管１０の給水を停止し、第二給水管から給水する例、がある。
【００３１】
２０は、シャツタ付きの換気扇であり、この換気扇２０は、ハウス１の他方側の妻面１ｂに設けられている。２１は栽培棚を示している。
【００３２】
続いて、流体（上水と働きを終えた上水「排水」）の流れを説明する。配管９を介して、第一給水管１０に導かれた上水は、この第一給水管１０に多数設けた孔１０００より、吸水性多孔質パット７の上側７ａに向かって流し、この上水を、吸水性多孔質パット７の略全体に流し、吸水性多孔質パット７の下側７ｄに導くことで、この吸水性多孔質パット７が湿潤するとともに、換気扇２０の働きで、吸水性多孔質パット７を通過する風（空気）を湿潤する。
【００３３】
この風は、ハウス１内を通過するが、この過程で、気化冷却の効果があり、ハウス１の室内温度が降下し、栽培棚２１の植物生育環境に適した温度、並びに湿度が造られる構造である。
【００３４】
以上の気化冷却においては、ランニングコストの低廉化かが要望されることから、本考案では、吸水性多孔質パット７の下側７ｄから流れ、樋１１に貯留された排水を再利用する。
【００３５】
即ち、この排水は、樋１１に開口する配管１３と、ポンプ１５の働きで、ホース１６から、第一給水管１０に導かれ、例えば、上水に混合されて、再利用する構造である。この混合された排水は、上水と同じ流れとなる。
【００３６】
この排水は、吸水性多孔質パット７が必要とする際（ハウス１の温湿度調整が要望されるとき、又は積極的に節水する際等）に混合される構造であり、この混合の時期と混合量は、図示しない制御機構でコントロールする。また、同時に、混合量は、ハウス１室内温度、及び／又は、室内湿度に対応して、コントロールする。例えば、必要時に、必要とする混合量を添加する例と、単独給水例があり、何れも、迅速に対応する。
【００３７】
本考案では、前述した各構造は、好ましい一例の説明である。前述した各実施例に限定されるものではなく、考案の趣旨の範囲において構成の一部を変更する構造とか、同じ特徴と効果を達成できる構造、等は、本考案の範疇である。
【符号の説明】
【００３８】
１                ハウス
１００            躯体
２                柱鋼材
３                梁鋼材
４                ガラス
５                支持柱
６                支持梁
７                吸水性多孔質パット
７ａ              上側
７ｂ              表側
７ｃ              裏側
７ｄ              下側
８                枠
８ａ              上枠材
８ｂ              下枠材
８ｃ              左枠材
８ｄ              右枠材
９                配管
９ａ              繋ぎ管
１０              第一給水管
１０００          孔
１３              配管
１５              ポンプ
１６              ホース
１７              第二給水管
２０              換気扇
２１              栽培棚
【図１】
0003180279.tif 000003
【図２】
0003180279.tif 000004
【図３】
0003180279.tif 000005
【図４】
0003180279.tif 000006
【図５】
0003180279.tif 000007
【図６】
0003180279.tif 000008
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
建屋の一方側の妻面に、吸水性多孔質パットを連設し、また、この建屋の他方側の妻面に一基、又は数基の換気扇を設けた構造の建屋の気化冷房装置において、
前記吸水性多孔質パットの下側に、この吸水性多孔質パットを流れた流体を受入れる樋を形成し、この樋に設けた配管にホンプを設け、このポンプに、基端を繋いだホースを、この吸水性多孔質パットの上側の給水管に到らしめ、前記樋の流体を、前記ポンプと前記ホースを介して、前記吸水性多孔質パットの給水管に導く構成とした建屋の気化冷房装置に備える流体循環装置。
【請求項２】
請求項１に記載の建屋の気化冷房装置の流体循環装置において、
前記給水管は、多数個の孔を備えた第一給水管とし、この第一給水管に、前記ホースの自由端を接続し、このホース内を抑揚した流体を、この吸水性多孔質パットの上側の第一給水管に流す構成とした建屋の気化冷房装置に備える流体循環装置。
【請求項３】
請求項１に記載の建屋の気化冷房装置の流体循環装置において、
前記給水管は、多数個の孔を備えた第二給水管とし、この第二給水管に、前記ホースの自由端を接続し、このホース内を抑揚した流体を、この吸水性多孔質パットの上側の第二給水管に流す構成とした建屋の気化冷房装置に備える流体循環装置。
【請求項４】
請求項１に記載の建屋の気化冷房装置に備える流体循環装置において、
前記ポンプを、前記樋の端部に設け、このポンプに前記ホースの基端を設ける構成とした建屋の気化冷房装置の流体循環装置。
【請求項５】
請求項３に記載の建屋の気化冷房装置に備える流体循環装置において、
前記第二給水管を、前記第一給水管と併用する構成とした建屋の気化冷房装置に備える流体循環装置。
【手続補正２】
【補正対象書類名】明細書
【補正対象項目名】全文
【補正方法】変更
【補正の内容】
【考案の詳細な説明】
【技術分野】
【０００１】
本考案は、吸水性多孔質パットを備えた建屋の気化冷房装置に備える流体循環装置に関する。
【背景技術】
【０００２】
本出願人は、建屋の気化冷房装置に関し、特開２０１２−１４７６９６号において、一方側の妻面に空気透過パットを付設し、この空気透過パットに上水、水（流体）を流下し、このパットを通過する風を湿潤し、気化潜熱により、ハウスの気化冷却を図る構造を提案する。この発明は、ハウス内の温度を下げることで、植物・家畜の成育と、生育環境維持に有効であることが実証されている。そして、更なるランニングコストの低廉化が、客先の要望となっている。
【０００３】
このランニングコストの低廉化に、有効な手段として、上水の使用量を少なくすること、及び／又は、有効利用すること、等が挙げられる。
【０００４】
そこで、この種の上水（流体）の再利用として、一部の文献に循環水を利用し、冷却する方法・装置が提示されている。例えば、特開平７−７９６４６号公報（文献（１））は、地下の貯水槽に蓄積した、水をポンプアップして、空気膜屋根の頂面から軒先に向って流下し、この流体を昇温し、この温水を利用する構造である。また、特開２００８−１５４５１２号公報（文献（２））は、イチゴ棚に設置されたイチゴ栽培容器に、養水を供給し、働きを置いた養水を濾過し、この濾過した養水を、ポンプアップして、再利用する構造が開示されている。
【０００５】
この（文献（１））と（文献（２））は、水、又は養水の再利用であるが、この再利用のルートは、給水時のルートを使用するとともに、給水時のポンプと給水管を利用する。従って、循環利用による再利用のルートにより、合理的な給水が図れているのか、又は、循環利用による再利用のルートか、初期の給水時のルートかを区別することができない。
【０００６】
そこで、本考案は、流体循環装置の循環用給水管ルート（排水循環による再利用ルート）に、従来の給水時の給水管ルートを利用し、低コスト化、ランニングコストの低廉化と、施設・栽培等の合理化、並びに給水の合理的と効率化（上水の節約化）を図ることを意図する。また、この循環用給水管ルートを、従来の給水時の給水管ルートとは区別し、この循環用給水管ルートの個別制御を利用し、給水時の給水管ルートのメンテナンスを確保し、かつ再利用の給水状況の確認を図ること、等を意図する。
【０００７】
【特許文献１】特開平７−７９６４６号公報
【特許文献２】特開２００８−１５４５１２号公報
【考案の概要】
【考案が解決しようとする課題】
【０００８】
そこで、本考案は、循環利用による再利用のルートに、給水時とは異なるポンプホースを設けて、初期の給水時のルートと区別し、再利用の給水状況を確認すること、又は、合理的な給水が図れているか否かを確認可能とすることにある。
【課題を解決するための手段】
【０００９】
前記の目的を達成するために、本考案は、下記に示した請求項１〜５を提案する。
【００１０】
請求項１の考案は、建屋の一方側の妻面に、吸水性多孔質パットを連設し、また、この建屋の他方側の妻面に一基、又は数基の換気扇を設けた構造の建屋の気化冷房装置において、
前記吸水性多孔質パットの下側に、この吸水性多孔質パットを流れた流体を受入れる樋を形成し、この樋に設けた配管にホンプを設け、このポンプに、基端を繋いだホースを、この吸水性多孔質パットの上側の給水管に到らしめ、前記樋の流体（排水、排気流体）を、前記ポンプと前記ホースを介して、前記吸水性多孔質パットの上側の給水管に導く（到らしめる）構成とした建屋の気化冷房装置に備える流体循環装置である。
【００１１】
請求項２の考案は、請求項１に記載の建屋の気化冷房装置の流体循環装置において、
前記給水管は、多数個の孔を備えた第一給水管とし、この第一給水管に、前記ホースの自由端を接続し、このホース内を抑揚した流体を、この吸水性多孔質パットの上側の第一給水管に流す構成とした建屋の気化冷房装置に備える流体循環装置である。
【００１２】
請求項３の考案は、請求項１に記載の建屋の気化冷房装置の流体循環装置において、
前記給水管は、多数個の孔を備えた第二給水管とし、この第二給水管に、前記ホースの自由端を接続し、このホース内を抑揚した流体を、この吸水性多孔質パットの上側の第二給水管に流す構成とした建屋の気化冷房装置に備える流体循環装置である。
【００１３】
請求項４の考案は、請求項１に記載の建屋の気化冷房装置に備える流体循環装置において、
前記ポンプを、前記樋の端部に設け、このポンプに前記ホースの基端を設ける構成とした建屋の気化冷房装置の流体循環装置である。
【００１４】
請求項５の考案は、請求項３に記載の建屋の気化冷房装置に備える流体循環装置において、
前記第二給水管を、前記第一給水管と併用する構成とした建屋の気化冷房装置に備える流体循環装置である。
【考案の効果】
【００１５】
請求項１は、建屋の一方側の妻面に、吸水性多孔質パットを連設し、また、建屋の他方側の妻面に一基、又は数基の換気扇を設けた構造の建屋の気化冷房装置において、
吸水性多孔質パットの下側に、吸水性多孔質パットを流れた流体を受入れる樋を形成し、樋に設けた配管にホンプを設け、ポンプに、基端を繋いだホースを、吸水性多孔質パットの上側の給水管に到らしめ、前記樋の流体を、ポンプと前記ホースを介して、吸水性多孔質パットの給水管に導く構成とした建屋の気化冷房装置に備える流体循環装置である。
【００１６】
従って、  従って、請求項１は、流体循環装置の循環用給水管ルートに、従来の給水時の給水管ルートを利用することで、例えば、低コスト化、ランニングコストの低廉化と、施設・栽培等の合理化、並びに給水の合理的と効率化が図れる特徴がある。また、請求項１は、この循環用給水管ルートを、従来の給水時の給水管ルートとは区別し、この循環用給水管ルートの個別制御を利用し、給水時の給水管ルートのメンテナンスを確保し、かつ再利用の給水状況の確認が図れる実益がある。さらに、請求項１は、上水の利用の軽減化と、ランニングコストの低廉化、等に寄与できる。
【００１７】
請求項２は、請求項１に記載の建屋の気化冷房装置の流体循環装置において、
給水管は、多数個の孔を備えた第一給水管とし、第一給水管に、前記ホースの自由端を接続し、ホース内を抑揚した流体を、吸水性多孔質パットの上側の第一給水管に流す構成とした建屋の気化冷房装置に備える流体循環装置である。
【００１８】
従って、請求項２は、請求項１の目的を達成できること、又は給水管を、第一給水管（上水「新液体」用給水管）と特定したこと、装置の簡略化が図れること、等を特徴とする。
【００１９】
請求項３は、請求項１に記載の建屋の気化冷房装置の流体循環装置において、
給水管は、多数個の孔を備えた第二給水管とし、第二給水管に、ホースの自由端を接続し、ホース内を抑揚した流体を、吸水性多孔質パットの上側の第二給水管に流す構成とした建屋の気化冷房装置に備える流体循環装置である。
【００２０】
従って、請求項３は、請求項１の目的を達成できること、又は給水管を、第二給水管（循環排水「排液体」用給水管）と特定したこと、それぞれの機器の故障時の緊急対策を可能となること、等を特徴とする。
【００２１】
請求項４の考案は、請求項１に記載の建屋の気化冷房装置に備える流体循環装置において、
ポンプを、樋の端部に設け、ポンプにホースの基端を設ける構成とした建屋の気化冷房装置の流体循環装置である。
【００２２】
従って、請求項４は、請求項１の目的を達成できること、又はポンプ設置位置を特定したこと、装置の簡略化と、メンテナンスの容易化等が図れること、等を特徴とする。
【００２３】
請求項５の考案は、請求項３に記載の建屋の気化冷房装置に備える流体循環装置において、
第二給水管を、第一給水管と併用する構成とした建屋の気化冷房装置に備える流体循環装置である。
【００２４】
従って、請求項５は、請求項１、又は請求項３の目的を達成できること、又は装置の簡略化と、メンテナンスの容易化等が図れること、等を特徴とする。
【図面の簡単な説明】
【００２５】
【図１】ハウスを縮尺し、その一面側の模式図
【図２】ハウスを縮尺し、その他面側の模式図
【図３】吸水性多孔質パットを備えた流体循環装置と、換気扇との関係を示した拡大側面模式図で、ハウス１を示してある
【図４】吸水性多孔質パットと、流体循環装置との関係を示した拡大正面模式図
【図５】吸水性多孔質パットを備えた流体循環装置の要部の側面模式図
【図６】換気扇の全体背面摸式図
【考案を実施するための形態】
【００２６】
１はハウス（ハウス１は、畜舎、工場等の一例である）で、このハウス１の一例を説明すると、多数本の柱鋼材２、及び柱鋼材２間に設けた多数本の梁鋼材３で枠組み形成してなる躯体１００と、この躯体１００に設けたガラス４（ビニールフィルム、その他のガラス、又はその他のフィルム等の別の材料もある。以下、ガラス４とする）で構成する。そして、このハウス１の一方側の妻面１ａには、後述する吸水性多孔質パット７（空気透過パット）と、この吸水性多孔質パット７を立設支持する支持柱５、５、５等（５とする）と、この吸水性多孔質パット７を架承する支持梁６、６等（６とする）が設けられる。
【００２７】
７はセルローズ紙のシートを接着、かつ編成した構造で、鋭角と鈍角の異なる溝角を備えた波形形状、又は、耐水性のセルローズ繊維からなる複数枚の自己支持性波板を凸条部で重ね合わせた多隙体形状等でなる本体部と、この本体部に無数形成された空気透過隙間を備えた吸水性多孔質パットで、この吸水性多孔質パット７は、組付け可能な上枠体８ａと、下枠体８ｂ（樋に支持された差渡し杆）と、左右枠体８ｃ、８ｄを枠組み構成した方形状の枠８内に、収められるとともに、梁鋼材３との間に組付けられる。そして、この組付け時に吸水性多孔質パット７の上側７ａ（上端側）と上枠体８ａとの空間に、一本、又は二本の第一給水管１０（上水用給水管）を設け、かつこの第一給水管１０を、図示しない、複数の繋ぎ管を介して連結し、ハウス１の一方側の妻面１ａの略全体に配備する。また、この連結を介して、この第一給水管１０の一方側から他方側、又は他方側から一方側の如く、それぞれの方向に、同時に給水する。また、この第一給水管１０は、吸水性多孔質パット７の表裏側７ｂ、７ｃの幅Ｘ間で、かつ枠体８の幅Ｙ間に設けられる。即ち、吸水性多孔質パット７の表裏側７ｂ、７ｃより突出せず、寸法内にセットされると共に、体裁よく組付けられる。また、第一給水管１０の保守管理と、メンテナンスの簡便化等を図る。
【００２８】
図中９は第一給水管１０に上水を供給する配管であり、この第一給水管１０の上方に設ける共に、複数の繋ぎ管９ａ、９ａを介して連結し、ハウス１の一方側の妻面１ａの略全体に配備する。
【００２９】
また、吸水性多孔質パット７の設置時に、この吸水性多孔質パット７の下側７ｄ（下端側）と、枠体８の下枠体８ｂとの空間に、端面視してコ字型の樋１１（排水手段）を、地面と略平行に設ける（吸水性多孔質パット７の鉛直線下側に配備する）。この樋１１は、前記幅Ｘ、Ｙ内に収めることで、寸法内にセットされると共に、体裁よく組付けられる。そして、この樋１１の集水側に隔壁１２を設ける。この隔壁１２を貫通する配管１３を設けると共に、この配管１３に一方に設けたポンプ１５は、循環流体（排水）を抑揚するホース１６（配管）の基端に繋ぐ。このホース１６の自由端は、吸水性多孔質パット７の上側７ａに設けた第一給水管１０に繋ぐ構造である（例えば、請求項２の実施例）。従って、集水された排水は、樋１１から配管１３（配管）とポンプ１５からホース１６に至り、第一給水管１０に運ばれ、この第一給水管１０の複数の孔１０００より、吸水性多孔質パット７の上側７ａに導かれる。また、樋１１の上面と、吸水性多孔質パット７の下側７ｄの隙間は、樋１１を流れる排水と、この吸水性多孔質パット７を流下する排水とを遮断し、この排水のスムーズな流れと、吸水性多孔質パット７を流下する排水のスムーズな流れが図れる。ホース１６、樋１１等にはフィルタ、殺菌手段、温度制御等を設け、排水の品質・温度管理と廃棄物を除去する。図示しないが、樋１１にタンクを付設することもあり得る。
【００３０】
また、他の実施例（例えば、請求項３の実施例）として、前記ホース１６の自由端を、図示しない、多数個の孔を備えた第二給水管（循環用給水管）に繋ぎ、第一給水管１０とは別のルートで、給水作業する構成もできる。この他の例では、第一給水管１０との併用例（通常の例）と、この第一給水管１０の給水を停止し、第二給水管から給水する例、がある。
【００３１】
２０は、シャツタ付きの換気扇であり、この換気扇２０は、ハウス１の他方側の妻面１ｂに設けられている。２１は栽培棚を示している。
【００３２】
続いて、流体（上水と働きを終えた上水「排水」）の流れを説明する。配管９を介して、第一給水管１０に導かれた上水は、この第一給水管１０に多数設けた孔１０００より、吸水性多孔質パット７の上側７ａに向かって流し、この上水を、吸水性多孔質パット７の略全体に流し、吸水性多孔質パット７の下側７ｄに導くことで、この吸水性多孔質パット７が湿潤するとともに、換気扇２０の働きで、吸水性多孔質パット７を通過する風（空気）を湿潤する。
【００３３】
この風は、ハウス１内を通過するが、この過程で、気化冷却の効果があり、ハウス１の室内温度が降下し、栽培棚２１の植物生育環境に適した温度、並びに湿度が造られる構造である。
【００３４】
以上の気化冷却においては、ランニングコストの低廉化かが要望されることから、本考案では、吸水性多孔質パット７の下側７ｄから流れ、樋１１に貯留された排水を再利用する。
【００３５】
即ち、この排水は、樋１１に開口する配管１３と、ポンプ１５の働きで、ホース１６から、第一給水管１０に導かれ、例えば、上水に混合されて、再利用する構造である。この混合された排水は、上水と同じ流れとなる。
【００３６】
この排水は、吸水性多孔質パット７が必要とする際（ハウス１の温湿度調整が要望されるとき、又は積極的に節水する際等）に混合される構造であり、この混合の時期と混合量は、図示しない制御機構でコントロールする。また、同時に、混合量は、ハウス１室内温度、及び／又は、室内湿度に対応して、コントロールする。例えば、必要時に、必要とする混合量を添加する例と、単独給水例があり、何れも、迅速に対応する。
【００３７】
本考案では、前述した各構造は、好ましい一例の説明である。前述した各実施例に限定されるものではなく、考案の趣旨の範囲において構成の一部を変更する構造とか、同じ特徴と効果を達成できる構造、等は、本考案の範疇である。
【符号の説明】
【００３８】
１                ハウス
１００            躯体
２                柱鋼材
３                梁鋼材
４                ガラス
５                支持柱
６                支持梁
７                吸水性多孔質パット
７ａ              上側
７ｂ              表側
７ｃ              裏側
７ｄ              下側
８                枠
８ａ              上枠材
８ｂ              下枠材
８ｃ              左枠材
８ｄ              右枠材
９                配管
９ａ              繋ぎ管
１０              第一給水管
１０００          孔
１３              配管
１５              ポンプ
１６              ホース
１７              第二給水管
２０              換気扇
２１              栽培棚